(57)【要約】【課題】塵芥投入箱が傾動することによってテールゲートが不用意に開放したときでも、開放により生じる衝撃を緩和させることで、この衝撃による各部材などの損傷を防止することのできる塵芥収集車を提供する。【解決手段】車枠上に搭載された塵芥収容箱の後方開口部に、内部に塵芥積込装置を備えた塵芥投入箱２が連設され、この塵芥投入箱２には塵芥を投入する投入口が設けられるとともに、該投入口に開閉扉５がガイドレール６に沿って上下に開閉自在に設けられた塵芥収集車において、塵芥投入箱２には、開閉扉５が開放終端位置に達した際に生じる衝撃を緩和する緩衝装置１０が設けられている。緩衝装置１０は、開閉扉５が開放終端位置に達した際にガイドローラ７と当接するストッパ１１と、ストッパ１１への当接により生じる衝撃を吸収する衝撃吸収手段１３とを備えている。【選択図】  図１
2004217368.tif 000002
【特許請求の範囲】
【請求項１】
車枠上に搭載された塵芥収容箱の後方開口部に、内部に塵芥積込装置を備えた塵芥投入箱が連設され、この塵芥投入箱には塵芥を投入する投入口が設けられるとともに、該投入口に開閉扉がガイドレールに沿って上下に開閉自在に設けられた塵芥収集車において、
前記塵芥投入箱には、前記開閉扉が開放終端位置に達した際に生じる衝撃を緩和する緩衝装置が設けられたことを特徴とする塵芥収集車。
【請求項２】
前記緩衝装置は、開閉扉が開放終端位置に達した際に当該開閉扉の一部と当接するストッパと、ストッパへの当接により生じる衝撃を吸収する衝撃吸収手段とを備えたことを特徴とする請求項１記載の塵芥収集車。
【発明の詳細な説明】
【０００１】
【発明の属する技術分野】
本発明は、塵芥収集車に関し、特に塵芥投入箱の投入口を開閉する開閉扉を開放した際の衝撃を緩和するための技術に関するものである。
【０００２】
【従来の技術】
図３は、塵芥収集車の後部を示したものである。
【０００３】
図３において、１は塵芥収集車の車枠１ａ上に搭載された塵芥収容箱であって、この塵芥収容箱１の後方開口部には、前面を開放した塵芥投入箱２が枢軸３を以て傾動可能に連設されている。
【０００４】
また、塵芥投入箱２内には図示しない塵芥積込装置が装備されており、この塵芥積込装置によって塵芥投入箱２の背面下部に形成された投入口４から投入された塵芥を塵芥収容箱１内に積み込むように構成されている。
【０００５】
上記投入口４は、テールゲート（開閉扉）５により開閉自在になされている。具体的には、投入口４の両側縁にガイドレール６（図４参照）が当該両側縁に沿って上下に設けられるとともに、テールゲート５の両側縁下端部に設けられたガイドローラ７が上記ガイドレール６に案内されながら転動するように設けられている。
【０００６】
一方、テールゲート５の両側縁上端部には、一端部が塵芥投入箱２の側面上部に枢支された作動アーム８の他端部が回動自在に連結されている。この作動アーム８には、その一端部よりも上方の塵芥投入箱２の側面上部との間にスプリング９が連結されており、スプリング９の付勢力により作動アーム８の一端部を中心にして当該作動アーム８が上方に回動する方向に付勢されている。つまり、スプリング９は、作動アーム８を介してテールゲート５の開方向への動作を補助するように設けられている（例えば、特許文献１参照。）。
【０００７】
従って、テールゲート５を開いて投入口４を開放する際には、作業者がテールゲート５の下部に設けた把持部５ａを持って当該テールゲート５を上方に引き上げることで、ガイドローラ７がガイドレール６に沿って転動しながら作動アーム８の上方への回動とともにテールゲート５がスプリング９による補助を受けて上方に移動し、これによって投入口４を開放する。また、この状態からスプリング９の付勢力に抗してテールゲート５を下方に引き下げることで、該テールゲートを下方に移動させて投入口４を閉塞する。
【０００８】
ところで、上述したように塵芥積込装置によって塵芥収容箱１内に収容された塵芥の排出は、まず、図３に二点鎖線で示すように塵芥投入箱２を枢軸３を中心に上方に傾動させて塵芥収容箱１の後方開口部を開放した後、排出機構によりこの後方開口部から外部に排出するようにしている。排出機構としては、塵芥収容箱１内に設けた排出板を前方から後方に摺動させて後方開口部から塵芥を押し出して排出する手段や、塵芥収容箱１を後方底部を中心にして上方に傾動させて後方開口部から塵芥を排出する手段などが用いられている。
【０００９】
【特許文献１】
実開昭６０−１５４３０５号公報
【００１０】
【発明が解決しようとする課題】
しかしながら、上記従来のものでは、塵芥を排出する際に塵芥投入箱２を上方に傾動させて塵芥収容箱１の後方開口部を開放することから、塵芥投入箱２の傾動に伴ってテールゲート５が開方向に移動し、当該テールゲート５が開放終端位置に勢いよく達することが起こり、このときの衝撃によって作動アーム８及びガイドローラ７の変形や破損など各部材や連結部分での損傷を招くという問題があった。
【００１１】
なお、テールゲート５には投入口４を閉塞した状態で固縛する固縛装置が設けられているのが一般的であるが、この固縛装置によりテールゲート５を固縛し忘れたときに、上述したような不具合が起こることになる。
【００１２】
本発明は、上記問題点に鑑みてなされたもので、その目的とするところは、塵芥投入箱が傾動することによってテールゲートが不用意に開放したときでも、開放により生じる衝撃を緩和させることで、この衝撃による各部材などの損傷を防止することのできる塵芥収集車を提供することにある。
【００１３】
【課題を解決するための手段】
請求項１に係る発明の塵芥収集車は、車枠上に搭載された塵芥収容箱の後方開口部に、内部に塵芥積込装置を備えた塵芥投入箱が連設され、この塵芥投入箱には塵芥を投入する投入口が設けられるとともに、該投入口に開閉扉がガイドレールに沿って上下に開閉自在に設けられた塵芥収集車において、前記塵芥投入箱には、前記開閉扉が開放終端位置に達した際に生じる衝撃を緩和する緩衝装置が設けられたものである。
【００１４】
請求項２に係る発明の塵芥収集車は、前記緩衝装置は、開閉扉が開放終端位置に達した際に当該開閉扉の一部と当接するストッパと、ストッパへの当接により生じる衝撃を吸収する衝撃吸収手段とを備えたものである。
【００１５】
【発明の実施の形態】
以下、本発明の実施の形態を図面を参照して説明する。
【００１６】
図１及び図２は塵芥収集車に設けた本発明の主要部である緩衝装置の構成を示している。なお、塵芥収集車の基本的構成については前述した塵芥収集車と同様であり、必要に応じて同部材には同符号を付すことで、全体構成及び各部材の説明は省略する。
【００１７】
緩衝装置１０は、左右の各ガイドレール６の上端部に介装されている。この緩衝装置１０は、テールゲート５の開放時にガイドローラ７が当接する当接ストッパ１１と、このストッパ１１を支持する支持部材１２と、ストッパ１１と支持部材１２との間に介装されたスプリング１３とで構成されている。
【００１８】
ストッパ１１は、当接板１１ａにロッド１１ｂの基端が連結されてなるもので、当接板１１ａを下方にしてロッド１１ｂが支持部材１２にその軸方向に移動自在に貫通配置されている。ロッド１１ｂの先端部にはネジ部１１ｃが形成が形成されており、支持部材１２を貫通したネジ部１１ｃにナット１４が螺入され、このナット１４によりストッパ１１が支持部材１２から抜け落ちないようにしている。
【００１９】
支持部材１２は、ガイドレール６の上端部に固設されており、上述したようにストッパ１１を支持している。
【００２０】
スプリング１３は、コイルスプリングであり、その内部にロッド１１ｂを挿入した形で支持部材１２と当接板１１ａとの間に配置されている。
【００２１】
そして、このように構成された緩衝装置１０は、テールゲート５が開放して開放終端位置に達した際にガイドレール６内を移動するガイドローラ７が当接板１１ａに下方から当接するように配置されている。
【００２２】
従って、テールゲート５が開放して開放終端位置に達すると、テールゲート５の一部としてガイドローラ７がストッパ１１の当接板１１ａに下方から当接し、この当接したときの下方からの勢いでストッパ１１はスプリング１３を圧縮させながら支持部材１２に対してそのロッド１１ｂの軸芯方向上方に移動することになる。
【００２３】
このようにスプリング１３をクッションにしてストッパ１１によりガイドローラ７を受け止めることで、ケールゲート５が開放終端位置に達した際に生じる衝撃を緩和させることができる。つまり、スプリング１３がストッパ１１への当接により生じる衝撃を吸収する衝撃吸収手段を主に担うことになる。
【００２４】
これによりテールゲート５を固縛し忘れた状態で塵芥の排出を行ったとしても緩衝装置１０によってテールゲート５の不用意な開放により生じる衝撃を緩和することができる。すなわち、このような場合には塵芥投入箱２の傾動によりテールゲート５が開方向に勢いよく開いて開放終端位置に達するが、この時に生じる衝撃を緩衝装置１０により吸収することができるので、従来のような衝撃による作動アーム８及びガイドローラ７の変形や破損など各部材や連結部分での損傷を防止することができる。
【００２５】
【発明の効果】
以上述べたように、本発明の塵芥収集車によれば、開閉扉が開放終端位置に達した際に生じる衝撃を緩和する緩衝装置を設けたことで、塵芥排出時の塵芥投入箱の傾動などにより開閉扉が勢いよく開いたとしても、この際に生じる衝撃を緩衝装置で緩和することができ、このような衝撃による各部材の変形や損傷などの発生を確実に防止することができる。
【図面の簡単な説明】
【図１】緩衝装置の構成を示す側面図である。
【図２】緩衝装置の構成を示す塵芥投入箱の後方から見た図である。
【図３】塵芥収集車の後部の概略構成を示す側面図である。
【図４】テールゲートが開いて投入口が開放された状態を示す一部切欠の側面図である。
【符号の説明】
１  塵芥収容箱
２  塵芥投入箱
４  投入口
５  テールゲート（開閉扉）
６  ガイドレール
１０  緩衝装置
１１  ストッパ
１２  支持部材
１３  スプリング
【図１】
2004217368.tif 000003
【図２】
2004217368.tif 000004
【図３】
2004217368.tif 000005
【図４】
2004217368.tif 000006